(57)【要約】【課題】ＤＶＤプレーヤ内蔵ＴＶ受像機において、作業者が画面調整処理に要する手間を少なくして、ラインにおける生産性の向上を図る。【解決手段】マイクロプロセッサは、ディスク検出センサから出力された検出信号に基づき、ＤＶＤプレーヤ部内にディスクが挿入されたことを検出したときに（Ｓ１でＹＥＳ）、ディスクから読み取ったディスク判別用情報に基いて、ディスクが、モニタの画面調整用の各パターン画像を記録したディスク（以下、画面調整用ディスクという）であるか否かを判別する（Ｓ２及びＳ３）。この判別の結果、ディスクが、モニタの画面調整用の各パターン画像を記録したディスクである場合に（Ｓ３でＹＥＳ）、マイクロプロセッサは、ＥＥＰＲＯＭから各パターン画像の再生順と再生時間のデータを読み取って（Ｓ５）、この再生順と再生時間に基いて各パターン画像を自動的に再生する。【選択図】図４
2007028127.tif 000002
【特許請求の範囲】
【請求項１】
アンテナを介して受信したテレビジョン放送信号の中から、ユーザにより設定入力されたチャンネルの放送信号の選局・復調を行って、映像・音声信号を出力するチューナと、
ＤＶＤ（Ｄｉｇｉｔａｌ  Ｖｅｒｓａｔｉｌｅ  Ｄｉｓｃ）のディスク（以下、ディスクと略す）がセットされたことを検知するためのディスク検出センサを有し、ＤＶＤに記録された映像・音声信号を再生するＤＶＤプレーヤ部と、
前記チューナから出力された映像・音声信号と前記ＤＶＤプレーヤ部から出力された映像・音声信号の中から、どちらか一方の映像・音声信号の選択指示操作を行うための信号選択指示手段と、
前記信号選択指示手段により選択指示された映像信号に基く画像を表示するモニタと、
前記信号選択指示手段により選択指示された音声信号を出力するスピーカと、
前記モニタの画面の自動調整用のプログラム（以下、画面調整プログラムという）等のデータを記憶する記憶手段と、
装置全体の制御を行う制御手段とを備えた、ＤＶＤプレーヤ内蔵のテレビジョン受像機において、
前記記憶手段は、前記モニタの画面調整用の各パターン画像の再生順と再生時間を記憶し、
前記制御手段は、
前記ディスク検出センサから出力された検出信号に基づき、前記ＤＶＤプレーヤ部内にディスクがセットされたことを検出したときに、前記ディスクから読み取ったディスク判別用情報に基いて、前記ディスクが、前記モニタの画面調整用の各パターン画像を記録したディスクであるか否かを判別し、
前記判別の結果、前記ディスクが、前記モニタの画面調整用の各パターン画像を記録したディスクである場合に、前記記憶手段から前記各パターン画像の再生順と再生時間を読み取って、この再生順と再生時間に基いて前記各パターン画像を自動的に再生することを特徴とするＤＶＤプレーヤ内蔵テレビジョン受像機。
【請求項２】
アンテナを介して受信したテレビジョン放送信号の中から、ユーザにより設定入力されたチャンネルの放送信号の選局・復調を行って、映像・音声信号を出力するチューナと、
ＤＶＤ（Ｄｉｇｉｔａｌ  Ｖｅｒｓａｔｉｌｅ  Ｄｉｓｃ）等の光ディスクがセットされたことを検知するためのディスク検出手段を有し、光ディスクに記録された映像・音声信号を再生する光ディスクプレーヤ部と、
前記チューナから出力された映像・音声信号と前記光ディスクプレーヤ部から出力された映像・音声信号の中から、どちらか一方の映像・音声信号の選択指示操作を行うための信号選択指示手段と、
前記信号選択指示手段により選択指示された映像信号に基く画像を表示するモニタと、
前記モニタの画面の自動調整用のプログラム（以下、画面調整プログラムという）等のデータを記憶する記憶手段と、
装置全体の制御を行う制御手段とを備えた、光ディスクプレーヤ内蔵のテレビジョン受像機において、
前記記憶手段は、前記モニタの画面調整用の各パターン画像の再生条件を記憶し、
前記制御手段は、
前記光ディスクから読み取ったディスク判別用情報に基いて、前記光ディスクが、前記モニタの画面調整用の各パターン画像を記録した光ディスクであるか否かを判別し、
前記判別の結果、前記光ディスクが、前記モニタの画面調整用の各パターン画像を記録した光ディスクである場合に、前記記憶手段から前記各パターン画像の再生条件を読み取って、この再生条件に基いて前記各パターン画像を自動的に再生することを特徴とする光ディスクプレーヤ内蔵テレビジョン受像機。
【請求項３】
前記制御手段は、前記ディスク検出手段から出力された検出信号に基づき、前記光ディスクプレーヤ部内に光ディスクがセットされたことを検出したときに限り、前記光ディスクから読み取ったディスク判別用情報に基いて、前記光ディスクが、前記モニタの画面調整用の各パターン画像を記録した光ディスクであるか否かを判別するようにしたことを特徴とする請求項２に記載の光ディスクプレーヤ内蔵テレビジョン受像機。
【発明の詳細な説明】
【技術分野】
【０００１】
本発明は、ＤＶＤ（Ｄｉｇｉｔａｌ  Ｖｅｒｓａｔｉｌｅ  Ｄｉｓｃ）やＬＤ（Ｌａｓｅｒ  Ｄｉｓｃ）等の光ディスク用のプレーヤを内蔵したテレビジョン受像機に関する。
【背景技術】
【０００２】
従来のＤＶＤ等の光ディスク用のプレーヤを内蔵したテレビジョン受像機では、画面調整用の各パターン画像をメモリに記憶しておき、ラインにおける各画面調整工程において、各工程の作業者が、リモコンを用いて、各工程における画面調整処理の内容に応じた画面の表示を指示したときに、指示されたパターン画像をメモリから読み込んで画面上に表示するようにしていた。ところが、上記の方法では、各工程の作業者によるリモコン操作が必要になるため、画面調整処理に要する手間が大きくなり、ラインにおける生産性の向上を図ることが難しい。また、データ容量の大きな各パターン画像をメモリに記憶する必要があるため、メモリ容量の節約を図ることができない。
【０００３】
そこで、テレビジョン受像機の画面調整の一種であるホワイトバランス調整に必要となる所定のパターン画像を放送信号に重畳して送信することで、ホワイトバランス調整処理の自動化を図るようにしたディジタルテレビの調整方法が知られている（例えば、特許文献１参照）。また、工場等での調整モードに入ったときに、自動的に外部入力や特定のチャンネルに移行して、そのチャンネルで受信した調整信号をモニタ上に表示するようにしたテレビジョン受像機が知られている（例えば、特許文献２参照）。
【０００４】
ところが、上記特許文献１及び２に示されるように、画面調整用のパターン画像を放送信号として送信する画面調整方法では、モニタ上に表示されるパターン画像にノイズの影響が現れやすいので、正確な画面調整を行うことが難しく、しかも、工場内に画面調整用のパターン画像を放送するための設備が必要になるため、画面調整に必要なコストの削減を図ることが難しいという問題があった。
【０００５】
ところで、ホワイトバランス調整処理を円滑に行うことができるようにすることを目的として、ディジタル信号復調回路の中に試験信号発生回路を設けて、カットオフ電圧の調整時には黒レベルパターンを、ドライブ電圧調整時には白レベルパターンを出力するようにしたテレビジョン受像機が知られている（例えば、特許文献３参照）。また、ＰＡＬ方式のテレビジョン受像機において、開発・設計を効率化し、コストダウンを図ることを目的として、擬似的な放送信号をＶＴＲに入力することによりＶＴＲの動作確認を行うようにしたものが知られている（例えば、特許文献４参照）。けれども、特許文献３及び４に示される発明では、上記の問題を解決することはできない。
【特許文献１】特開２００２−１７６６６２号公報
【特許文献２】実用新案登録第３０６９０５０号公報
【特許文献３】特開平９−１１６９３３号公報
【特許文献４】特開２００１−３４６２３０号公報
【発明の開示】
【発明が解決しようとする課題】
【０００６】
本発明は、上記の問題を解決するためになされたものであり、作業者が画面調整処理に要する手間を少なくして、ラインにおける生産性の向上を図ることができると共に、メモリ容量の節約を図ることができ、しかも、正確な画面調整と画面調整に必要なコストの低減を図ることが可能な、ＤＶＤプレーヤ内蔵テレビジョン受像機及び光ディスクプレーヤ内蔵テレビジョン受像機を提供することを目的とする。
【課題を解決するための手段】
【０００７】
上記目的を達成するために請求項１の発明は、アンテナを介して受信したテレビジョン放送信号の中から、ユーザにより設定入力されたチャンネルの放送信号の選局・復調を行って、映像・音声信号を出力するチューナと、ＤＶＤ（Ｄｉｇｉｔａｌ  Ｖｅｒｓａｔｉｌｅ  Ｄｉｓｃ）のディスク（以下、ディスクと略す）がセットされたことを検知するためのディスク検出センサを有し、ＤＶＤに記録された映像・音声信号を再生するＤＶＤプレーヤ部と、前記チューナから出力された映像・音声信号と前記ＤＶＤプレーヤ部から出力された映像・音声信号の中から、どちらか一方の映像・音声信号の選択指示操作を行うための信号選択指示手段と、前記信号選択指示手段により選択指示された映像信号に基く画像を表示するモニタと、前記信号選択指示手段により選択指示された音声信号を出力するスピーカと、前記モニタの画面の自動調整用のプログラム（以下、画面調整プログラムという）等のデータを記憶する記憶手段と、装置全体の制御を行う制御手段とを備えた、ＤＶＤプレーヤ内蔵のテレビジョン受像機において、前記記憶手段は、前記モニタの画面調整用の各パターン画像の再生順と再生時間を記憶し、前記制御手段は、前記ディスク検出センサから出力された検出信号に基づき、前記ＤＶＤプレーヤ部内にディスクがセットされたことを検出したときに、前記ディスクから読み取ったディスク判別用情報に基いて、前記ディスクが、前記モニタの画面調整用の各パターン画像を記録したディスクであるか否かを判別し、前記判別の結果、前記ディスクが、前記モニタの画面調整用の各パターン画像を記録したディスクである場合に、前記記憶手段から前記各パターン画像の再生順と再生時間を読み取って、この再生順と再生時間に基いて前記各パターン画像を自動的に再生するものである。
【０００８】
請求項２の発明は、アンテナを介して受信したテレビジョン放送信号の中から、ユーザにより設定入力されたチャンネルの放送信号の選局・復調を行って、映像・音声信号を出力するチューナと、ＤＶＤ（Ｄｉｇｉｔａｌ  Ｖｅｒｓａｔｉｌｅ  Ｄｉｓｃ）等の光ディスクがセットされたことを検知するためのディスク検出手段を有し、光ディスクに記録された映像・音声信号を再生する光ディスクプレーヤ部と、前記チューナから出力された映像・音声信号と前記光ディスクプレーヤ部から出力された映像・音声信号の中から、どちらか一方の映像・音声信号の選択指示操作を行うための信号選択指示手段と、前記信号選択指示手段により選択指示された映像信号に基く画像を表示するモニタと、前記モニタの画面の自動調整用のプログラム（以下、画面調整プログラムという）等のデータを記憶する記憶手段と、装置全体の制御を行う制御手段とを備えた、光ディスクプレーヤ内蔵のテレビジョン受像機において、前記記憶手段は、前記モニタの画面調整用の各パターン画像の再生条件を記憶し、前記制御手段は、前記光ディスクから読み取ったディスク判別用情報に基いて、前記光ディスクが、前記モニタの画面調整用の各パターン画像を記録した光ディスクであるか否かを判別し、前記判別の結果、前記光ディスクが、前記モニタの画面調整用の各パターン画像を記録した光ディスクである場合に、前記記憶手段から前記各パターン画像の再生条件を読み取って、この再生条件に基いて前記各パターン画像を自動的に再生するものである。
【０００９】
請求項３の発明は、請求項２に記載の光ディスクプレーヤ内蔵テレビジョン受像機において、前記制御手段は、前記ディスク検出手段から出力された検出信号に基づき、前記光ディスクプレーヤ部内に光ディスクがセットされたことを検出したときに限り、前記光ディスクから読み取ったディスク判別用情報に基いて、前記光ディスクが、前記モニタの画面調整用の各パターン画像を記録した光ディスクであるか否かを判別するようにしたものである。
【発明の効果】
【００１０】
請求項１の発明によれば、ユーザが、ライン上における各画面調整工程の順番に応じた各パターン画像の再生順と、各画面調整工程に要する作業時間に応じた各パターン画像の再生時間とを記憶手段に記憶させておくことにより、各ラインの特性に応じた再生順と再生時間で各パターン画像を自動的に再生することができる。これにより、従来のテレビジョン受像機と異なり、各工程の作業者が、リモコン等を用いて、各工程における画面調整処理の内容に応じた画面を表示させるための指示操作を行う必要がなくなるので、作業者が画面調整処理に要する手間を少なくして、ラインにおける生産性の向上を図ることができる。また、従来の画面調整用の各パターン画像をテレビジョン受像機内のメモリに記憶したものと異なり、画面調整用の各パターン画像をディスクに記憶するようにしたので、メモリ容量の節約を図ることができる。
【００１１】
さらにまた、従来の画面調整用のパターン画像を放送信号として送信するテレビジョン受像機と異なり、モニタ上に画面表示されるパターン画像にノイズの影響が現れにくいので、正確な画面調整を行うことができ、しかも、工場内に画面調整用のパターン画像を放送するための設備が不要になるため、画面調整に必要なコストの削減を図ることができる。
【００１２】
請求項２の発明によれば、ユーザが、ライン上における各画面調整工程の順番と作業時間に応じた各パターン画像の再生条件を記憶手段に記憶させておくことにより、各ラインの特性に応じた再生条件で各パターン画像を自動的に再生することができる。これにより、従来のテレビジョン受像機と異なり、各工程の作業者が、リモコン等を用いて、各工程における画面調整処理の内容に応じた画面を表示させるための指示操作を行う必要がなくなるので、作業者が画面調整処理に要する手間を少なくして、ラインにおける生産性の向上を図ることができる。また、従来の画面調整用の各パターン画像をテレビジョン受像機内のメモリに記憶したものと異なり、画面調整用の各パターン画像を光ディスクに記憶するようにしたので、メモリ容量の節約を図ることができる。
【００１３】
さらにまた、従来の画面調整用のパターン画像を放送信号として送信するテレビジョン受像機と異なり、モニタ上に画面表示されるパターン画像にノイズの影響が現れにくいので、正確な画面調整を行うことができ、しかも、工場内に画面調整用のパターン画像を放送するための設備が不要になるため、画面調整に必要なコストの削減を図ることができる。
【発明を実施するための最良の形態】
【００１４】
本発明を実施するための最良の形態について図面を参照して説明する。本発明は、ＤＶＤ（Ｄｉｇｉｔａｌ  Ｖｅｒｓａｔｉｌｅ  Ｄｉｓｃ）やＬＤ（Ｌａｓｅｒ  Ｄｉｓｃ）等の光ディスク用のプレーヤを内蔵したテレビジョン受像機に関するものである。以下の実施形態では、ＤＶＤプレーヤ内蔵テレビジョン受像機に本発明を適用した場合の例について説明する。なお、以下に記載した実施形態は、本発明を網羅するものではなく、本発明は、下記の形態だけに限定されない。
【００１５】
図１は、第１の実施形態によるＤＶＤプレーヤ内蔵テレビジョン受像機１（以下、ＤＶＤプレーヤ内蔵ＴＶ受像機という）の外観を示す。ＤＶＤプレーヤ内蔵ＴＶ受像機１は、装置本体の右側部に、スロットインタイプのディスク挿入口３を有しており、このディスク挿入口３から、画面調整用の各パターン画像を記録したＤＶＤのディスク１０（以下、ディスクと略す）がＤＶＤプレーヤ部２（図２参照）内に挿入されたときに、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ）１３（記憶手段：図２参照）から、上記の各パターン画像の再生順と再生時間を読み取って、この再生順と再生時間に基いて各パターン画像を自動的に再生する。
【００１６】
図２は、上記ＤＶＤプレーヤ内蔵ＴＶ受像機１の電気的ブロック構成を示す。ＤＶＤプレーヤ内蔵ＴＶ受像機１は、アンテナ２０を介して受信したテレビジョン放送信号の中から、ユーザにより設定入力されたチャンネルの放送信号の選局・復調を行って、映像・音声信号を出力するチューナ６と、チューナ６で取り出された映像と音声の中間周波信号を増幅する映像中間周波増幅回路７と、ＤＶＤ映像・音声信号の再生を行うＤＶＤプレーヤ部２とを有している。また、ＤＶＤプレーヤ内蔵ＴＶ受像機１は、装置全体の制御を行うマイクロプロセッサ４（制御手段）と信号制御回路５とを有している。信号制御回路５は、インプットセレクタの機能を持ち、上記の映像中間周波増幅回路７、ＤＶＤプレーヤ部２、及び外部入力端子８から入力された映像・音声信号のうち、リモコン３（信号選択指示手段）を用いてユーザにより選択指示された特定の種類の映像・音声信号に基づく映像と音声とが、モニタ１５とスピーカ１７とに出力されるように、信号の経路を切り替える。
【００１７】
さらにまた、ＤＶＤプレーヤ内蔵ＴＶ受像機１は、信号制御回路５から送られた映像信号に基づいて原色信号を再生する色再生回路１１と、この色再生回路１１により再生された原色信号に文字情報等の映像信号を重畳させるオンスクリーンディスプレイ部１４（以下、ＯＳＤ部という）と、信号制御回路５から送られた音声信号を増幅して、スピーカ１７に出力する音声回路１２とを有している。
【００１８】
ＤＶＤプレーヤ内蔵ＴＶ受像機１は、上記の各部材に加えて、ＥＥＰＲＯＭ１３と、リモコン信号受信部１８と、装置の各部に電源を供給するための電源部１９とを有している。ＥＥＰＲＯＭ１３には、モニタ１５の画面の自動調整用のプログラム（以下、画面調整プログラムという）４１等の各種プログラムや、モニタ１５の画面調整用の各パターン画像の再生順と再生時間のデータを格納した再生条件ファイル４２等の各種データが記憶されている。また、リモコン信号受信部１８は、リモコン３から送信された赤外線信号を受信する。
【００１９】
上記のリモコン３は、各種のキーからなるキー部３４と赤外線信号発信部３１とを有している。キー部３４には、電源キー３３、数字入力用のキー３５、カーソル移動キー３６及び確定キー３７に加えて、各種メニューを表示するためのメニューキー３２が配設されている。ユーザは、上記のメニューキー３２とカーソル移動キー３６と確定キー３７とを用いることにより、映像中間周波増幅回路７、ＤＶＤプレーヤ部２、及び外部入力端子８から入力された映像・音声信号の中から、再生対象となる一種類の映像・音声信号の選択操作を行うことができる。
【００２０】
図３は、上記ＤＶＤプレーヤ部２の電気的ブロック構成を示す。ＤＶＤプレーヤ部２は、主に、ディスク１０を所定位置にセットするディスクローダ２１と、このディスクローダ２１より送られた、ディスク１０からの読取信号を処理するためのディジタル基板２２と、ディスク挿入口３からディスク１０が挿入されたことを検知するためのディスク検出センサ２３とから構成されている。ディスク検出センサ２３による検出信号は、装置全体を制御するマイクロプロセッサ４へ出力される。
【００２１】
上記のディスクローダ２１は、ディスク１０を回転駆動するためのスピンドルモータ２５と、ディスク１０に対して光ビームを照射してデータの記録及び再生を行う光ピックアップ２６と、光ピックアップ２６を読出位置に対応させて移動させるためのフィードモータ２４とから構成されている。また、ディジタル基板２２は、主に、光ピックアップ２６から送られた信号をビットストリームに変換するためのフロントエンドプロセッサとＭＰＥＧ復調回路とシステム制御用マイクロプロセッサとを集積したシステムＬＳＩ２７と、フィードモータ２４、スピンドルモータ２５、及び光ピックアップ２６に対して駆動信号を出力するモータドライバ２８とから構成されている。
【００２２】
次に、図４のフローチャートを参照して、上記ＤＶＤプレーヤ内蔵ＴＶ受像機１の工場モード時における画面自動調整処理について説明する。ユーザが、ディスク挿入口３からディスク１０をＤＶＤプレーヤ部２に挿入すると、ＤＶＤプレーヤ内蔵ＴＶ受像機１のマイクロプロセッサ４は、ディスク検出センサ２３から出力された検出信号に基づき、ＤＶＤプレーヤ部２内にディスク１０が挿入（セット）されたことを検出する。マイクロプロセッサ４は、ディスク１０の挿入の検出を完了すると（Ｓ１でＹＥＳ）、ディスク１０から、メーカ名やディスク１０の種類の情報（ＤＶＤ−ＲかＤＶＤ−ＲＷかＤＶＤ−ＲＯＭかという情報）と共に、ディスク判別用情報（該当のディスク１０が画面調整用の各パターン画像を記録したディスクであるか否かという情報）を読み取る（Ｓ２）。そして、読み取ったディスク判別用情報に基いて、ディスク１０が、モニタ１５の画面調整用の各パターン画像を記録したディスク（以下、画面調整用ディスクという）であるか否かを判別する（Ｓ３）。
【００２３】
上記の判定の結果、ディスク１０が、画面調整用ディスクであった場合には（Ｓ３でＹＥＳ）、マイクロプロセッサ４は、ＥＥＰＲＯＭ１３から画面調整プログラム４１を読み込んで、この画面調整プログラム４１を起動する（Ｓ４）。そして、マイクロプロセッサ４は、画面調整プログラム４１の記述に基き、ＥＥＰＲＯＭ１３内の再生条件ファイル４２から各パターン画像の再生条件（再生順と再生時間）のデータを読み取って（Ｓ５）、この再生順と再生時間のデータに基いて、ディスク１０内に格納された各パターン画像を自動的に再生する（Ｓ６）。各パターン画像の再生中におけるモニタ１５の画面の状況は、画面状況検出用のセンサ（カラーアナライザ等）により検出される。そして、この画面状況検出用のセンサからの出力は、画面調整用のパソコン（不図示）に入力される。画面調整用のパソコンは、ライン上の各画面調整工程における上記センサからの入力値に基き、各画面調整工程における望ましい調整値（自動調整値）を算出して、この自動調整値を、不図示の接続ケーブルとデータ入力端子９とを介して、ＤＶＤプレーヤ内蔵ＴＶ受像機１のＥＥＰＲＯＭ１３に書き込む（Ｓ７）。
【００２４】
図５は、上記ディスク１０内に格納された各パターン画像の例を示す。また、図６は、上記再生条件ファイル４２に格納された各パターン画像の再生順と再生時間のデータの内容を示す。これらの図５、６に示される例では、まず、ディスク１０のチャプター１に格納されたフリッカ調整用パターン画像が１８０秒再生された後に、チャプター２に格納された赤ベタ画像が６０秒再生される。そして、チャプター３に格納された白ベタ画像が３０秒再生される。
【００２５】
上記のように、第１の実施形態によるＤＶＤプレーヤ内蔵ＴＶ受像機１によれば、ユーザが、ライン上における各画面調整工程の順番に応じた各パターン画像の再生順と、各画面調整工程に要する作業時間に応じた各パターン画像の再生時間とをＥＥＰＲＯＭ１３に記憶させておくことにより、各ラインの特性に応じた再生順と再生時間で各パターン画像を自動的に再生することができる。これにより、従来のテレビジョン受像機と異なり、各工程の作業者が、リモコン３を用いて、各工程における画面調整処理の内容に応じた画面を表示させるための指示操作を行う必要がなくなるので、作業者が画面調整処理に要する手間を少なくして、ラインにおける生産性の向上を図ることができる。また、従来の画面調整用の各パターン画像をテレビジョン受像機内のメモリに記憶したテレビジョン受像機と異なり、画面調整用の各パターン画像をディスク１０に記憶するようにしたので、ＥＥＰＲＯＭ１３のメモリ容量の節約を図ることができる。
【００２６】
さらにまた、従来の画面調整用のパターン画像を放送信号として送信するテレビジョン受像機と異なり、モニタ１５上に画面表示されるパターン画像にノイズの影響が現れにくいので、正確な画面調整を行うことができ、しかも、工場内に画面調整用のパターン画像を放送するための設備が不要になるため、画面調整に必要なコストの削減を図ることができる。
【００２７】
次に、図７のフローチャートを参照して、第２の実施形態によるＤＶＤプレーヤ内蔵ＴＶ受像機１について説明する。第２の実施形態では、ライン全体の管理用のコンピュータが、各作業者の習熟度のレベルと、該当のラインにおける１日当たりの目標生産台数に基いて、画面調整用の各パターン画像の再生時間を演算し、ＥＥＰＲＯＭ１３の再生条件ファイル４２内の再生時間を、上記演算により求めた再生時間に書き替える。
【００２８】
上記の内容を、図７のフローチャートに基いて詳述する。ユーザ（ラインの管理者等）が、ライン全体の管理用のコンピュータにラインの目標生産台数を入力した後に、ライン上の各画面調整工程に配置された各作業者が、自分の持ち場の周辺に設置されたボタンを用いて、自分の識別番号（社員コード等）を入力すると（Ｓ２１）、ライン全体の管理用のコンピュータは、入力された各画面調整工程の作業者の識別番号をキーとして、自機のハードディスク内に格納された不図示の作業者ＤＢから各作業者の習熟度のレベルを読み取る（Ｓ２２）。そして、読み取った各作業者の習熟度のレベルと、Ｓ２１で入力されたラインの目標生産台数に基いて、上記の各パターン画像の最適な再生時間を演算し（Ｓ２３）、ＤＶＤプレーヤ内蔵ＴＶ受像機１側の再生条件ファイル４２内の再生時間を、上記演算により求めた最適な再生時間に書き替える（Ｓ２４）。この書き替え後の再生条件ファイル４２内の再生時間に基いて、上記図４に示される画面自動調整処理と同様な処理が行われる（Ｓ２５）。
【００２９】
上述したように、第２の実施形態によるＤＶＤプレーヤ内蔵ＴＶ受像機１によれば、ラインの目標生産台数と、ライン上の各画面調整工程に配置される各作業者の習熟度のレベルに応じて、画面調整用の各パターン画像の再生時間を設定することができるので、各パターン画像の再生時間をラインの特性に応じた最適な時間として、ラインにおける生産性の向上を図ることができる。
【００３０】
なお、本発明は、上記実施形態に限られるものではなく、様々な変形が可能である。例えば、上記の各実施形態では、ＤＶＤプレーヤ部内に画面調整用ディスクがセットされた場合に限り、画面調整プログラムを起動するようにしたが、作業者によりリモコンを用いて工場モードに入るように指示された直後に、画面調整プログラムを起動するようにしてもよい。また、上記の各実施形態では、本発明をＤＶＤプレーヤ内蔵ＴＶ受像機に適用した場合の例を示したが、本発明の適用対象となる光ディスクプレーヤ内蔵テレビジョン受像機は、これに限られず、ＤＶＤ以外の光ディスク用のプレーヤを内蔵したテレビジョン受像機であってもよい。
【図面の簡単な説明】
【００３１】
【図１】本発明の第１の実施形態によるＤＶＤプレーヤ内蔵テレビジョン受像機の外観を示す正面図。
【図２】上記ＤＶＤプレーヤ内蔵テレビジョン受像機の電気的ブロック構成図。
【図３】図２中のＤＶＤプレーヤ部の電気的ブロック構成図。
【図４】上記ＤＶＤプレーヤ内蔵テレビジョン受像機の工場モード時における画面自動調整処理のフローチャート。
【図５】ディスク内に格納された画面調整用の各パターン画像の例を示す図。
【図６】上記ＤＶＤプレーヤ内蔵テレビジョン受像機に格納された各パターン画像の再生順と再生時間のデータの例を示す図。
【図７】本発明の第２の実施形態によるＤＶＤプレーヤ内蔵テレビジョン受像機の工場モード時における処理のフローチャート。
【符号の説明】
【００３２】
１    ＤＶＤプレーヤ内蔵ＴＶ受像機
２    ＤＶＤプレーヤ部
３    リモコン（信号選択指示手段）
４    マイクロプロセッサ（制御手段）
６    チューナ
１０  ディスク
１３  ＥＥＰＲＯＭ（記憶手段）
１５  モニタ
１７  スピーカ
４２  再生条件ファイル（再生条件）
【図１】
2007028127.tif 000003
【図２】
2007028127.tif 000004
【図３】
2007028127.tif 000005
【図４】
2007028127.tif 000006
【図５】
2007028127.tif 000007
【図６】
2007028127.tif 000008
【図７】
2007028127.tif 000009